【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
鱗茎形成を開始するのに連続１４時間以上の日光を必要とする、辛味の少ない鱗茎を含むタマネギ植物。
【請求項２】
該鱗茎が、５．５μＭ／ｇＦＷ未満のピルベートである収穫時ＰＡＤ測定値を有する、請求項１記載のタマネギ植物。
【請求項３】
該鱗茎が、５．０μＭ／ｇＦＷ未満のピルベートである収穫時ＰＡＤ測定値を有する、請求項２記載のタマネギ植物。
【請求項４】
該鱗茎が、４．５μＭ／ｇＦＷ未満のピルベートである収穫時ＰＡＤ測定値を有する、請求項３記載のタマネギ植物。
【請求項５】
該鱗茎が、４．０μＭ／ｇＦＷ未満のピルベートである収穫時ＰＡＤ測定値を有する、請求項４記載のタマネギ植物。
【請求項６】
該鱗茎が、３．７５μＭ／ｇＦＷ未満のピルベートである収穫時ＰＡＤ測定値を有する、請求項５記載のタマネギ植物。
【請求項７】
イエローオニオンである、請求項１記載のタマネギ植物。
【請求項８】
スパニッシュオニオンである、請求項１記載のタマネギ植物。
【請求項９】
収穫時に該鱗茎の辛味が少ない、請求項１記載のタマネギ植物。
【請求項１０】
約２ヶ月間の貯蔵後に該鱗茎が実質的に辛味の少なさを維持している、請求項１記載のタマネギ植物。
【請求項１１】
貯蔵後のＰＡＤ測定値が収穫時のＰＡＤ測定値から１０％未満増大している、請求項１０記載のタマネギ植物。
【請求項１２】
約４ヶ月間の貯蔵後に該鱗茎が実質的に辛味の少なさを維持している、請求項１記載のタマネギ植物。
【請求項１３】
貯蔵後のＰＡＤ測定値が収穫時のＰＡＤ測定値から１０％未満増大している、請求項１２記載のタマネギ植物。
【請求項１４】
約６ヶ月間の貯蔵後に鱗茎が実質的に辛味の少なさを維持している、請求項１記載のタマネギ植物。
【請求項１５】
貯蔵後のＰＡＤ測定値が収穫時のＰＡＤ測定値から１０％未満増大している、請求項１４記載のタマネギ植物。
【請求項１６】
鱗茎形成を開始するのに２日以上の間、連続１４時間以上の光を必要とする、請求項１記載のタマネギ植物。
【請求項１７】
鱗茎形成を開始するのに４日以上の間、連続１４時間以上の光を必要とする、請求項１記載のタマネギ植物。
【請求項１８】
鱗茎形成を開始するのに７日以上の間、連続１４時間以上の光を必要とする、請求項１記載のタマネギ植物。
【請求項１９】
鱗茎形成を開始するのに連続１４時間以上の光を必要とし、５．５μＭ／ｇＦＷ未満のピルベートであるＰＡＤ測定値を有する鱗茎を含む、タマネギ植物の部分。
【請求項２０】
種子、鱗茎および葉からなる群より選択される、請求項１９記載の植物の部分。
【請求項２１】
花粉および胚珠からなる群より選択される、請求項１９記載の植物の部分。
【請求項２２】
請求項１記載のタマネギ植物に由来する細胞。
【請求項２３】
請求項１記載のタマネギ植物に由来するプロトプラスト。
【請求項２４】
請求項１記載のタマネギ植物から得られた細胞の組織培養物。
【請求項２５】
細胞が葉、花粉、胚、鱗茎、葯、花、芽および分裂組織からなる群より選択される組織に由来する、請求項２４記載の組織培養物。
【請求項２６】
辛味の少ない鱗茎を含む、長日タマネギ植物。
【請求項２７】
辛味の少ない鱗茎を含む、スペイン型タマネギ植物。
【請求項２８】
鱗茎形成を開始するのに連続１４時間以上の光を必要とし、約５．５μＭ／ｇＦＷ未満のピルベートであるＰＡＤ測定値を含む、タマネギ植物に由来するタマネギ鱗茎。
【請求項２９】
約５．０μＭ／ｇＦＷ未満のピルベートであるＰＡＤ測定値を含む、請求項２８記載のタマネギ鱗茎。
【請求項３０】
約４．５μＭ／ｇＦＷ未満のピルベートであるＰＡＤ測定値を含む、請求項２９記載のタマネギ鱗茎。
【請求項３１】
約４．０μＭ／ｇＦＷ未満のピルベートであるＰＡＤ測定値を含む、請求項３０記載のタマネギ鱗茎。
【請求項３２】
約３．７５μＭ／ｇＦＷ未満のピルベートであるＰＡＤ測定値を含む、請求項３１記載のタマネギ鱗茎。
【請求項３３】
イエローオニオンの鱗茎である、請求項３２記載のタマネギ鱗茎。
【請求項３４】
スパニッシュオニオンの鱗茎である、請求項３３記載のタマネギ鱗茎。
【請求項３５】
鱗茎形成を開始するのに連続１４時間以上の光を必要とし、約５．５μＭ／ｇＦＷ未満のピルベートである平均ＰＡＤ測定値を含む、タマネギ植物に由来するタマネギ鱗茎の容器。
【請求項３６】
該平均ＰＡＤ測定値が約５．０μＭ／ｇＦＷ未満のピルベートである、請求項３５記載のタマネギ鱗茎の容器。
【請求項３７】
該平均ＰＡＤ測定値が約４．５μＭ／ｇＦＷ未満のピルベートである、請求項３５記載のタマネギ鱗茎の容器。
【請求項３８】
該タマネギ鱗茎の少なくとも７５％が約５．５μＭ／ｇＦＷ未満のピルベートであるＰＡＤ測定値を有する、請求項３５記載のタマネギ鱗茎の容器。
【請求項３９】
該タマネギ鱗茎の少なくとも８５％が約５．５μＭ／ｇＦＷ未満のピルベートであるＰＡＤ測定値を有する、請求項３５記載のタマネギ鱗茎の容器。
【請求項４０】
該タマネギ鱗茎の少なくとも９５％が約５．５μＭ／ｇＦＷ未満のピルベートであるＰＡＤ測定値を有する、請求項３５記載のタマネギ鱗茎の容器。
【請求項４１】
袋、缶、箱および薄い箱から選択される、請求項３５記載のタマネギ鱗茎の容器。
【請求項４２】
１ポンドのタマネギ鱗茎を含む、請求項３５記載のタマネギ鱗茎の容器。
【請求項４３】
５ポンドのタマネギ鱗茎を含む、請求項３５記載のタマネギ鱗茎の容器。
【請求項４４】
店内にある、請求項３５記載のタマネギ鱗茎の容器。
【請求項４５】
該店が食料品店である、請求項４４記載のタマネギ鱗茎の容器。
【請求項４６】
約５．５μＭ／ｇＦＷ未満のピルベートであるＰＡＤ測定値を含む鱗茎を有するタマネギ植物の生産能を有する、鱗茎形成を開始するのに連続１４時間以上の光を必要とするタマネギ植物の種子。
【請求項４７】
該鱗茎が約５．０μＭ／ｇＦＷ未満のピルベートであるＰＡＤ測定値を含む、請求項４６記載の種子。
【請求項４８】
該鱗茎が約４．５μＭ／ｇＦＷ未満のピルベートであるＰＡＤ測定値を含む、請求項４６記載の種子。
【請求項４９】
該鱗茎が４．０μＭ／ｇＦＷ未満のピルベートであるＰＡＤ測定値を含む、請求項４６記載の種子。
【請求項５０】
鱗茎形成を開始するのに連続１４時間以上の光を必要とするタマネギ植物の種子の容器であって、該種子の５０％を超える種子に由来するタマネギ鱗茎が辛味の少ないタマネギであり、該種子に由来するタマネギ鱗茎の集団が約５．５μＭ／ｇＦＷ未満のピルベートである平均ＰＡＤ測定値を含む、容器。
【請求項５１】
該平均ＰＡＤ測定値が約５．０μＭ／ｇＦＷ未満のピルベートである、請求項５０記載の種子の容器。
【請求項５２】
少なくとも１００個の種子を含む、請求項５０記載の種子の容器。
【請求項５３】
少なくとも１０００個の種子を含む、請求項５０記載の種子の容器。
【請求項５４】
袋、箱および小包からなる群より選択される、請求項５０記載の種子の容器。
【請求項５５】
該種子の７５％を超える種子に由来する鱗茎が辛味の少ないタマネギである、請求項５０記載の種子の容器。
【請求項５６】
該種子の８５％を超える種子に由来する鱗茎が辛味の少ないタマネギである、請求項５０記載の種子の容器。
【請求項５７】
該種子の９５％を超える種子に由来する鱗茎が辛味の少ないタマネギである、請求項５０記載の種子の容器。
【請求項５８】
ハイブリッドタマネギ種子の生産方法であって、鱗茎形成を開始するのに１４時間以上の光を必要とする辛味の少ないタマネギ植物を別のタマネギ植物と交配させて、Ｆ1タマネギ種子を得ることを含む、方法。
【請求項５９】
該辛味の少ないタマネギがＷＹＬ７７−５１２８Ｂ（ＮＣＩＭＢ寄託番号４１３２９）およびＷＹＬ７７−５１６８Ｂ（ＮＣＩＭＢ寄託番号４１３３０）と指定されるタマネギ系統からなる群より選択される、請求項５８記載の方法。
【請求項６０】
種子試料がＮＣＩＭＢ寄託番号４１３２９の下で寄託されたものである、ＷＹＬ７７−５１２８Ｂの種子。
【請求項６１】
請求項６０記載の種子から成長したタマネギ植物。
【請求項６２】
請求項６１記載のタマネギ植物に由来するタマネギ植物の部分。
【請求項６３】
花粉、プロトプラスト、胚珠または細胞からなる群より選択される、請求項６２記載の植物の部分。
【請求項６４】
請求項６２記載の植物から得られた細胞の組織培養物。
【請求項６５】
該細胞が葉、花粉、胚、鱗茎、葯、花、芽および分裂組織からなる群より選択される組織に由来するものである、請求項６２記載の組織培養物。
【請求項６６】
種子試料がＮＣＩＭＢ寄託番号４１３３０の下で寄託されたものである、ＷＹＬ７７−５１６８Ｂの種子。
【請求項６７】
請求項６６記載の種子から成長したタマネギ植物。
【請求項６８】
請求項６７記載のタマネギ植物に由来するタマネギ植物の部分。
【請求項６９】
花粉、プロトプラスト、胚珠または細胞からなる群より選択される、請求項６８記載の植物の部分。
【請求項７０】
請求項６８記載の植物から得られた細胞の組織培養物。
【請求項７１】
葉、花粉、胚、鱗茎、葯、花、芽および分裂組織からなる群より選択される組織に由来するものである、請求項７０記載の組織培養物。
【請求項７２】
約５．５μＭ／ｇＦＷ未満のピルベートであるＰＡＤ測定値を含む鱗茎を有する、ハイブリッドタマネギ植物。
【請求項７３】
種子試料がＮＣＩＭＢ寄託番号４１３２９の下で寄託されているＷＹＬ７７−５１２８Ｂの種子。
【請求項７４】
種子試料がＮＣＩＭＢ寄託番号４１３３０の下で寄託されているＷＹＬ７７−５１６８Ｂの種子。
【請求項７５】
鱗茎形成を開始するのに連続１４時間以上の日光を必要とし、辛味の少ない鱗茎を含むことを特徴とする、請求項７３または７４記載の種子の子孫。